(57)【特許請求の範囲】
【請求項１】
屋根に設置されるレール部材の上に載せられる屋根上設置物を上から押さえ込むための押込部材と、この押込部材に、頭部から下向きに延出している雄ねじ軸が上から下に挿入されるとともに、回転操作される前記頭部が前記押込部材に下方への加圧荷重を作用させることにより、前記屋根上設置物を前記押込部材と前記レール部材とにより挟着固定させるためのボルトと、を備えている屋根上設置物の取付装置において、
前記ボルトの前記頭部の高さ位置が、このボルトの配置位置における前記屋根上設置物の上面の高さ位置と同じ高さ位置又はこれよりも高い高さ位置となっており、
少なくとも一部が前記レール部材の内部に挿入されてこのレール部材と係合されるレール係合部材を備えており、
このレール係合部材に前記ボルトの前記雄ねじ軸が螺入される雌ねじ孔が形成され、前記ボルトの前記頭部が回転操作されて前記雄ねじ軸が前記雌ねじ孔に対して螺進することにより、前記押込部材と前記レール部材とによって前記屋根上設置物が挟着固定され、
前記押込部材が前記レール係合部材に対して下降することを仮停止させ、前記ボルトの前記頭部が回転操作されて前記雄ねじ軸を前記雌ねじ孔に対して螺進させることで前記押込部材を前記レール係合部材に対して下降させることができる仮停止手段を備えており、
この仮停止手段によって仮停止しているときにおける前記押込部材の前記屋根上設置物の上面を押圧する押圧部についての前記レール部材からの仮停止高さ位置が、前記レール部材の上に載せられる前記屋根上設置物の上面よりも高い位置となっていることを特徴とする屋根上設置物の取付装置。
【請求項２】
請求項１に記載の屋根上設置物の取付装置において、前記押込部材と前記レール係合部材のうち、一方には、他方に設けられた外側嵌合部の内部に嵌合される内側嵌合部が設けられ、これらの外側嵌合部と内側嵌合部は上下方向にスライド自在となっており、前記外側嵌合部と前記内側嵌合部のうち、前記押込部材に設けられている嵌合部は、下方へ平行に延びる一対の延出部を有する下向きの二股形状になっているとともに、前記レール係合部材に設けられている嵌合部は、上方へ平行に延びる一対の延出部を有する上向きの二股形状になっており、
前記仮停止手段は、前記内側嵌合部の前記延出部に外側へ突出して設けられた第１突部と、前記外側嵌合部の前記延出部に内側へ突出して設けられ、前記第１突部との当接により前記仮停止高さ位置を規定するための第２突部と、前記外側嵌合部の前記延出部に前記第２突部から前記スライドの方向への開口幅をもって設けられ、外側に窪んでいる窪み部とを含んで構成されていることを特徴とする屋根上設置物の取付装置。
【請求項３】
請求項１又２に記載の屋根上設置物の取付装置において、前記レール部材は、上向きに開口したチャンネル材であり、このチャンネル材の上端部には、互いに近づく方向に延出した一対のリップ部が設けられており、
前記レール係合部材の最下部には、長さ方向の寸法が幅方向の寸法よりも長くなっているベース部が設けられているとともに、このベース部からは、前記ベース部の前記長さ方向を長さ方向とし、前記ベース部の幅方向を厚さ方向とする立上部が立ち上がっており、この立上部に、前記ベース部の前記長さ方向に互いに向かい合った一対の凹部が形成され、前記ベース部の前記幅方向の寸法及び前記一対の凹部の間隔は、前記レール部材の前記一対のリップ部の間隔よりも小さく、前記立上部の長さ方向の寸法は、前記レール部材の前記一対のリップ部の間隔よりも大きくなっていることを特徴とする屋根上設置物の取付装置。
【請求項４】
請求項１〜３のいずれかに記載の屋根上設置物の取付装置において、前記レール部材は、このレール部材の長さ方向を屋根勾配方向にして前記屋根に設置され、
このレール部材における前記屋根勾配方向の下り側の端部に配置される端部用の前記レール係合部材は、前記レール部材と結合されており、この端部用のレール係合部材に前記ボルトにより連結されている端部用の前記押込部材は、前記屋根上設置物における前記屋根勾配方向の下り側の端部の側面と当接する当接部を有していることを特徴とする屋根上設置物の取付装置。
【請求項５】
請求項１〜４のいずれかに記載の屋根上設置物の取付装置において、前記レール部材の長さ方向の端部に配置される端部用の前記レール係合部材には、前記レール部材の開口端面を塞ぐためのカバー部が設けられていることを特徴とする屋根上設置物の取付装置。
【発明の詳細な説明】
【技術分野】
【０００１】
本発明は、屋根上設置物を、屋根に設置されたレール部材に取り付けるために用いられる取付装置に係り、例えば、太陽光発電のためのソーラーパネルや温水器、屋根看板等の屋根上設置物を屋根に取り付けるために利用できるものである。
【背景技術】
【０００２】
太陽光発電のためのソーラーパネルは、屋根の上に設置される屋根上設置物となっており、このソーラーパネルを屋根に取り付けるための取付装置は、下記の特許文献１に示されている。この取付装置は、屋根に設置されるレール部材の上に載せられるソーラーパネルを上から押さえ込むための押込部材と、この押込部材に、頭部から下向きに延出している雄ねじ軸が上から下に挿入されるボルトと、を備えており、このボルトの頭部を回転操作することにより、この頭部が押込部材に下方への加圧荷重を作用させ、これにより、押ソーラーパネルが押込部材とレール部材とにより挟着固定されるようになっている。
【先行技術文献】
【特許文献】
【０００３】
【特許文献１】特開２００７−２１１４３５号公報
【発明の概要】
【発明が解決しようとする課題】
【０００４】
しかし、特許文献１に示されている取付装置では、ボルトの回転操作される頭部は、このボルトの配置位置におけるソーラーパネルの上面の高さ位置よりも低い位置にある。したがって、ボルトの頭部をレンチ等の手動式又は電動式工具で回転させる作業を、この工具をソーラーパネルの側面に当接させないように注意をして行わなければならず、このため、工具でボルトの頭部を回転操作するための作業を迅速に行えず、作業性を向上させることは難しい。また、このような問題は、上記レール部材の上に間隔を開けて載せられたソーラーパネル同士の間にボルトが配置されている場合に、顕著に生ずる。
【０００５】
本発明の目的は、ボルトの頭部を回転操作する作業を容易に行うことができ、作業性を向上させることができるようになる屋根上設置物の取付装置を提供するところにある。
【課題を解決するための手段】
【０００６】
本発明に係る屋根上設置物の取付装置は、屋根に設置されるレール部材の上に載せられる屋根上設置物を上から押さえ込むための押込部材と、この押込部材に、頭部から下向きに延出している雄ねじ軸が上から下に挿入されるとともに、回転操作される前記頭部が前記押込部材に下方への加圧荷重を作用させることにより、前記屋根上設置物を前記押込部材と前記レール部材とにより挟着固定させるためのボルトと、を備えている屋根上設置物の取付装置において、前記ボルトの前記頭部が、このボルトの配置位置における前記屋根上設置物の上面の高さ位置と同じ高さ位置又はこれよりも高い高さ位置となっていることを特徴とするものである。
【０００７】
本発明に係る屋根上設置物の取付装置では、ボルトの頭部が、このボルトの配置位置における屋根上設置物の上面の高さ位置と同じ高さ位置又はこれよりも高い高さ位置となっているため、ボルトの頭部をレンチ等の手動式又は電動式工具で回転させる作業を行う際に、この工具が屋根上設置物の側面に当接することはなく、このため、工具でボルトの頭部を回転操作するための作業を迅速に行え、作業性を向上させることができる。
【０００８】
そして、このような作用効果は、本発明に係る取付装置がレール部材の上に間隔を開けて載せられた屋根上設置物同士の間に配置され、この取付装置のボルトの頭部をレンチ等の手動式又は電動式工具で回転させる作業を行う際に、顕著なものとして得られる。
【０００９】
また、本発明に係る屋根上設置物の取付装置が、少なくとも一部がレール部材の内部に挿入されてこのレール部材と係合されるレール係合部材を備えたものになっている場合には、このレール係合部材にボルトの雄ねじ軸が螺入される雌ねじ孔を形成し、ボルトの頭部が回転操作されて雄ねじ軸が雌ねじ孔に対して螺進することにより、押込部材とレール部材とによって屋根上設置物が挟着固定されるようにしてもよい。
【００１０】
また、このように本発明に係る屋根上設置物の取付装置が、少なくとも一部がレール部材の内部に挿入されてこのレール部材と係合されるレール係合部材を備えたものとなっており、そして、このレール係合部材にボルトの雄ねじ軸が螺入される雌ねじ孔を形成する場合には、取付装置に、押込部材がレール係合部材に対して下降することを仮停止させ、ボルトの頭部が回転操作されて雄ねじ軸を雌ねじ孔に対して螺進させることにより、押込部材をレール係合部材に対して下降させることができる仮停止手段を設けるようにし、この仮停止手段によって仮停止しているときにおける押込部材の屋根上設置物の上面を押圧する押圧部についてのレール部材からの仮停止高さ位置を、レール部材の上に載せられる屋根上設置物の上面よりも高い位置としてもよい。
【００１１】
これによると、ボルトの頭部が回転操作されて雄ねじ軸を雌ねじ孔に対して螺進させる前には、仮停止手段により、押込部材がレール係合部材に対して下降することを仮停止させておくことができ、この仮停止手段によって仮停止しているときにおける押込部材の屋根上設置物の上面を押圧する押圧部についてのレール部材からの仮停止高さ位置は、レール部材の上に載せられる屋根上設置物の上面よりも高い位置となっているため、仮停止手段によって仮停止しているときの押込部材の押圧部の下側に、レール部材の上に載せた屋根上設置物を配置することができる。そして、この後に、ボルトの頭部を回転操作してボルトの雄ねじ軸をレール係合部材の雌ねじ孔に対して螺進させることにより、押込部材をレール係合部材に対して下降させることができるため、押込部材とレール部材とによって屋根上設置物を挟着固定する作業を容易に行うことができる。
【００１２】
言い換えると、取付装置に上述の仮停止手段が設けられていない場合には、押込部材はレール係合部材に対して最下位置まで下降してしまうことになり、このため、ボルトの頭部を回転操作してボルトの雄ねじ軸をレール係合部材の雌ねじ孔に対して螺進させることで押込部材とレール部材とによって屋根上設置物を挟着固定する作業を行う前に、押込部材を手作業によりレール係合部材に対して持ち上げ、次いで、押込部材の押圧部の下側に、レール部材の上に載せた屋根上設置物を配置しなければならず、これによると、押込部材を手作業によりレール係合部材に対して持ち上げる作業を行わなければならないため、作業が面倒になる。
【００１３】
これに対して本発明に係る屋根上設置物の取付装置に上述の仮停止手段を設けることにより、押込部材を手作業によりレール係合部材に対して持ち上げる作業を行う必要がなくなるため、押込部材とレール部材とによって屋根上設置物を挟着固定する作業を容易に行うことができるようになる。
【００１４】
上述の仮停止手段は、上述のように作用、機能するものであれば任意な構成のものでよい。
【００１５】
その一例の仮停止手段は、押込部材とレール係合部材のうち、一方には、他方に設けられた外側嵌合部の内部に嵌合される内側嵌合部が設けられ、これらの外側嵌合部と内側嵌合部が上下方向にスライド自在となっており、外側嵌合部と内側嵌合部のうち、押込部材に設けられている嵌合部が、下方へ平行に延びる一対の延出部を有する下向きの二股形状になっているとともに、レール部材係合部材に設けられている嵌合部が、上方へ平行に延びる一対の延出部を有する上向きの二股形状になっている場合に、適用することができる。
【００１６】
そして、この仮停止手段を、内側嵌合部の延出部に外側へ突出して設けられた第１突部と、外側嵌合部の延出部に内側へ突出して設けられ、第１突部との当接により前記仮停止高さ位置を規定するための第２突部と、前記外側嵌合部の前記延出部に前記第２突部から前記スライドの方向への開口幅をもって設けられ、外側に窪んでいる窪み部とを含んで構成されたものとすることができる。
【００１７】
なお、内側嵌合部を押込部材に設けて、外側嵌合部をレール係合部材に設けてもよく、あるいは、内側嵌合部をレール係合部材に設けて、外側嵌合部を押込部材に設けてもよい。すなわち、第１突部を押込部材に設けて、第２突部と窪み部とをレール係合部材に設けてもよく、第１突部をレール係合部材に設けて、第２突部と窪み部とを押込部材に設けてもよい。
【００１８】
また、本発明において、レール部材は任意な断面形状のものでよく、その一例は、このレール部材を、上向きに開口したチャンネル材とするとともに、このチャンネル材を、上端部に、互いに近づく方向に延出した一対のリップ部が設けられたリップ部付きチャンネル材とすることである。
【００１９】
このようにレール部材をリップ部付きチャンネル材とした場合には、レール係合部材の最下部には、長さ方向の寸法が幅方向の寸法よりも長くなっているベース部を設け、このベース部からは、ベース部の長さ方向を長さ方向とし、ベース部の幅方向を厚さ方向とする立上部を立ち上げ、この立上部に、ベース部の長さ方向に互いに向かい合った一対の凹部を形成し、ベース部の幅方向の寸法及び一対の凹部の間隔を、レール部材の一対のリップ部の間隔よりも小さく、立上部の長さ方向の寸法を、レール部材の一対のリップ部の間隔よりも大きくする。
【００２０】
これによると、ベース部の長さ方向をレール部材に長さ方向と一致させた後に、レール係合部材を降ろすことにより、ベース部をレール部材の内部に挿入することができ、そして、レール係合部材を９０度回動させることにより、レール部材の一対のリップ部をレール係合部材の一対の凹部の内部に挿入係合することができて、これらのリップ部の上面にレール係合部材の立上部を載せることができる。
【００２１】
これにより、レール係合部材の下部に設けられているベース部及びベース部の近辺だけをレール部材の内部に挿入させて、レール係合部材をレール部材に係合させることができることになり、レール係合部材がレール部材の内部の最下位まで達することはない。このため、前述したように、ボルトの頭部を回転操作してボルトの雄ねじ軸をレール係合部材の雌ねじ孔に対して螺進させることで、押込部材とレール部材とによって屋根上設置物を挟着固定する作業を行う際に、ボルトの雄ねじ軸をレール係合部材の雌ねじ孔に対して螺進させる距離を短くすることができ、作業時間の短縮を図ることができる。
【００２２】
さらに、本発明に係る屋根上設置物の取付装置は、長さ方向が屋根勾配方向と直角をなす方向となって屋根に設置されるレール部材に対しても適用できるとともに、長さ方向が屋根勾配方向となって屋根に設置されるレール部材に対しても適用することができる。
【００２３】
さらに、レール部材が、このレール部材の長さ方向を屋根勾配方向として屋根に設置される場合には、本発明に係る屋根上設置物の取付装置は、このレール部材の長さ方向の途中位置、言い換えると、このレール部材の上に間隔を開けて載せられた屋根上設置物同士の間に配置してもよく、このレール部材における屋根勾配方向の下り側の端部に配置してもよい。
【００２４】
本発明に係る屋根上設置物の取付装置が、レール部材の長さ方向の途中位置に配置される場合には、レール部材の上に間隔を開けて載せられた２個の屋根上設置物が、１個の押込部材とレール部材とによって挟着固定される。
【００２５】
また、本発明に係る屋根上設置物の取付装置が、レール部材における屋根勾配方向の下り側の端部に端部用の取付装置となって配置される場合には、この取付装置の端部用のレール係合部材をレール部材と結合し、この端部用のレール係合部材に前述のボルトにより連結される端部用の押込部材に、屋根上設置物における屋根勾配方向の下り側の端部の側面と当接する当接部を設けてもよい。
【００２６】
これによると、レール部材と結合された端部用のレール係合部材にボルトを介して端部用の押込部材が連結されていて、この端部用の押込部材に、屋根上設置物における屋根勾配方向の下り側の端部の側面と当接する当接部が設けられているため、この屋根上設置物がレール部材に沿って屋根勾配方向の下側にスライド降下してしまうことを、端部用の押込部材により防止することができる。
【００２７】
すなわち、この端部用の取付装置は、押込部材により、屋根上設置物をレール部材と共に挟着固定するための機能と、押込部材により、屋根上設置物がレール部材に沿って屋根勾配方向の下側にスライド降下してしまうことを防止するための機能とを備えたものとなる。
【００２８】
また、本発明に係る屋根上設置物の取付装置が、レール部材の長さ方向の端部に配置される端部用の取付装置である場合には、この取付装置の端部用レール係合部材に、レール部材の開口端面を塞ぐためのカバー部を設けてもよい。
【００２９】
これによると、端部用の取付装置を、レール部材の長さ方向の端部の開口端面を塞ぐためのカバー部材を兼ねたものとすることができる。
【００３０】
なお、この場合におけるレール部材は、長さ方向が屋根勾配方向と直角をなす方向となって屋根に設置されてもよく、あるいは、長さ方向が屋根勾配方向となって屋根に設置されてもよい。
【００３１】
以上説明した本発明に係る取付装置は、屋根の上に設置される任意な屋根上設置物に適用することができ、この屋根上設置物は、例えば、太陽光発電のためのソーラーパネルでもよく、温水器でもよく、屋根看板でもよい。
【発明の効果】
【００３２】
本発明によると、ボルトの頭部を回転操作する作業を容易に行うことができ、作業性を向上させることができるという効果を得られる。
【図面の簡単な説明】
【００３３】
【図１】図１は、本発明の一実施形態に係る取付装置の全体を示す斜視図である。
【図２】図２は、取付装置の正面形状を、レール部材の正断面形状と共に示した正面図である。
【図３】図３は、取付装置の側面形状を、レール部材の側面形状と共に示した側面図である。
【図４】図４は、図２及び図３で示す状態から取付装置の下部をレール部材の内部に挿入した後に、取付装置を９０度回動させたときを示す取付装置の側面図である。
【図５】図５は、図４の状態における取付装置の一部破断の正断面図である。
【図６】図６は、図５の状態から取付装置の押込部材とレール部材とにより屋根上設置物であるソーラーパネルを挟着固定した状態を示す図５と同様の図である。
【図７】図７は、仮停止手段が設けられている取付装置の実施形態を示す正面図である。
【図８】図８は、図７の実施形態に係る取付装置の押込部材とレール部材とによりソーラーパネルを挟着固定した状態を示す図７と同様の図である。
【図９】図９は、本発明の実施形態に係る取付装置が、レール部材における屋根勾配方向の下り側の端部に配置された端部用の取付装置となっている場合を示す図であって、この端部用の取付装置の側面図である。
【図１０】図１０は、図９のＳ１０−Ｓ１０線断面図である。
【発明を実施するための形態】
【００３４】
以下に本発明を実施するための形態を図面に基づいて説明する。本実施形態に係る屋根上設置物の取付装置は、ソーラーパネルを屋根に取り付けるためのものであり、したがって、本実施形態における屋根上設置物はソーラーパネルである。また、このソーラーパネルは、長さ方向が屋根勾配方向となって屋根に設置されるレール部材の上に載せられるものである。
【００３５】
図１には、本実施形態に係る取付装置１の全体の斜視図が示されており、この取付装置１の正面図は図２に、側面図は図３に、それぞれ示されている。また、図２及び図３には、レール部材４０も示されており、このレール部材４０は、底部４１の幅方向両端から一対の壁部４２が平行に立ち上がっている上向きに開口したチャンネル材であり、また、それぞれの壁部４２の上端には、互いに近づく方向に水平に延出した一対のリップ部４３が設けられており、このため、レール部材４０は、リップ部付きチャンネル材である。
【００３６】
本実施形態に係る取付装置１は、図１〜図３に示されているように、上側の押込部材２と、下側のレール係合部材３と、ボルト４と、レール係合部材３に配設されたアースプレート５とからなる。なお、この取付装置１には、平座金６とばね座金７にも用いられている。押込部材２及びレール係合部材３は、例えば、アルミ製又はアルミ合金製であり、アースプレート５は、例えば、ステンレス製である。
【００３７】
押込部材２は、ソーラーパネルの上面を上から押圧するための押圧部１０と、この押圧部１０の幅方向中央部から下向きに延びる内側嵌合部１１とを備えている。そして、この内側嵌合部１１には、内側嵌合部１１の下面から上方への深さを有している凹部１２が形成されているため、内側嵌合部１１は、下方へ平行に延びる一対の下方延出部１３の間が凹部１２となっている下向きの二股形状となっており、それぞれの下方延出部１３の上下途中部には、下方延出部１３の厚さ方向への段差となっている段部１４が形成されているため、それぞれの下方延出部１３は、上側の厚肉部１３Ａと、下側の薄肉部１３Ｂとからなる。
【００３８】
レール係合部材３は、底部のベース部２０と、このベース部２０の幅方向中央部から立ち上がった立上部２１と、この立上部２１の上部に設けられた外側嵌合部２２とを備えている。立上部２１の長さ方向は、ベース部２０の長さ方向となっており、立上部２１の厚さ方向は、ベース部２０の幅方向となっている。また、外側嵌合部２２には、凹部２２Ａが外側嵌合部２２の上面から下方への深さをもって形成されているため、この外側嵌合部２２は、上方へ平行に延びる一対の上方延出部２４が設けられた上向きの二股形状となっており、これらの上方延出部２４同士の間の凹部２２Ａの内部に押込部材２の内側嵌合部１１が挿入されていて、押込部材２の内側嵌合部１１とレール係合部材３の外側嵌合部２２は、互いに相手に対して上下にスライド自在となっている。
【００３９】
なお、レール係合部材３の長さ方向は、押込部材２の長さ方向でもあり、また、レール係合部材３の幅方向は、押込部材２の幅方向でもある。
【００４０】
図２及び図３に示されているように、ボルト４の頭部４Ａから下向きに延びる雄ねじ軸４Ｂは、押込部材２の内側嵌合部１１に上下に貫通して形成されている貫通孔２Ａに上から挿入され、この雄ねじ軸４Ｂは、レール係合部材３に形成されている雌ねじ孔３Ａに螺入されており、この雌ねじ孔３Ａは、外側嵌合部２２の上面からこの外側嵌合部２２の上下寸法分だけ形成されている。
【００４１】
また、図３に示されているように、ベース部２０と接続されている立上部２１の下端部には、言い換えると、レール係合部材３のベース部２０と立上部２１との間には、ベース部の長さ方向に互いに向かい合った一対の凹部２３が形成されている。
【００４２】
さらに、立上部２１には、上述のアースプレート５をレール係合部材３に配置するための四角形の窓孔２５が形成されており、図２から分かるとおり、アースプレート５は、窓孔２５に挿入され、下端が欠けた欠円形状となっている中央部５Ａと、この中央部５Ａの両端から下方へ垂下し、立上部２１を挟着した状態になっている一対の垂下部５Ｂと、それぞれの垂下部５Ｂの下端からベース部２０の幅方向外側に水平に延びている水平部５Ｃとを有する。このため、アースプレート５は、窓孔２５を貫通することにより立上部２１を跨いだ状態でレール係合部材３に配置された状態となっている。
【００４３】
そして、立上部２１には、窓孔２５の下部であって凹部２３の上部において、立上部２１の厚さ方向外側に突出した２個の小突起部２６が形成されており、立上部２１の全長に渡る長さを有しているこれらの小突起部２６は、アースプレート５の欠円形状の中央部５Ａの内部に配置されている。このため、アースプレート５が何らかの外力により浮き上がって窓孔２５から脱出しようとしても、アースプレート５の垂下部５Ｂが小突起部２６に引っ掛かることになり、したがって、アースプレート５の窓孔２５からの脱出は、すなわち、アースプレート５のレール係合部材３からの脱落は、防止されるようになっている。
【００４４】
なお、レール係合部材３の雌ねじ孔３Ａに螺入されているボルト４の雄ねじ軸４Ｂの下部は、窓孔２５に露出している。
【００４５】
図２に示されているように、アースプレート５のそれぞれの水平部５Ｃの先端には、斜め外側へ起立している起立部５Ｄが形成されている。図３から分かるように、起立部５Ｄは、それぞれの水平部５Ｃについて複数個、具体的には２個設けられ、それぞれの起立部５Ｄの先端は、先鋭化した端部５Ｅとなっている。
【００４６】
図３に示されているように、レール係合部材３のベース部２０の長さ方向の寸法は、Ｌ１であり、また、図２に示されているように、ベース部２０の幅方向の寸法は、Ｌ２である。なお、寸法Ｌ１は寸法Ｌ２よりも大きく、また、レール係合部材３の立上部２１の長さ方向の寸法は、図３から分かるように、ベース部２０の長さ方向の寸法と同じＬ１となっている。また、図２に示されているように、レール部材４０の上向きに開口している開口部４４の開口幅の寸法は、言い換えると、前述の一対のリップ部４３の間隔は、Ｌ３である。さらに、図３に示されているように、レール係合部材３の立上部２１に形成されている一対の凹部２３の間隔は、Ｌ４である。
【００４７】
そして、ベース部２０の幅方向の寸法Ｌ２及び一対の凹部の間隔Ｌ４は、レール部材４０の一対のリップ部４３の間隔Ｌ３よりも小さく、立上部２１の長さ方向の寸法Ｌ１は、レール部材の一対のリップ部の間隔Ｌ４よりも大きくなっている。
【００４８】
以上の本実施形態に係る取付装置１では、上側の部材となっている押込部材２と下側のレール係合部材３は、ボルト４により連結されており、また、アースプレート５は、上述のようレール係合部材３に脱落が防止されて配設されているとともに、この配設が、一対の垂下部５Ｂがレール係合部材３の立上部２１を挟着した状態で行われているため、アースプレート５がレール係合部材３に対して遊動することはない。したがって、これらの押込部材２とレール係合部材３とボルト４とアースプレート５を連結一体化した状態にして、例えば、工場からソーラーパネル設置現場に運ぶことができ、このため、工場やソーラーパネル設置現場での取付装置１の取り扱いや保管等を容易に行える。
【００４９】
次に、レール部材４０の上にソーラーパネル３０を本実施形態の取付装置１により取り付ける作業について説明する。
【００５０】
最初に屋根５０の上に複数本のレール部材４０を、これらのレール部材４０の長さ方向を屋根勾配方向にして設置し、屋根５０の上に平行にして設置したそれぞれのレール部材４０を、図示しない固定具により屋根仕上材に固定する。次いで、レール部材４０に対する取付装置１の向きを図２及及び図３で示した向きとし、すなわち、レール部材４０の長さ方向とレール係合部材３のベース部２０の長さ方向とを一致させた向きとし、この後に、取付装置１を降ろし、レール部材４０の開口部４４に挿入したベース部２０の高さ位置がレール部材４０のリップ部４３の高さ位置よりも低くなった後に、取付装置１を９０度回動させる。
【００５１】
このように取付装置１を９０度回動させたときの状態が図４に示されている。このときには、レール部材４０の一対のリップ部４３は、レール係合部材３の立上部２１に形成されている一対の凹部２３に挿入係合しており、これにより、これらのリップ部４３の上面にレール係合部材３の立上部２１を載せることができるとともに、レール係合部材３の下部に設けられているベース部２０及びベース部２０の近辺だけをレール部材４０の内部に挿入した状態にして、レール係合部材３をレール部材４０に係合させることができる。
【００５２】
なお、このようにレール係合部材３をレール部材４０に係合させることは、上述したように、寸法Ｌ２及び間隔Ｌ４を間隔Ｌ３よりも小さくし、寸法Ｌ１を間隔Ｌ４よりも大きくすることにより行うことができる。
【００５３】
また、取付装置１を９０度回動させたときには、図４に示されているように、アースプレート５に設けられているそれぞれの起立部５Ｄが、レール部材４０の上向きに開口している開口部４４にレール部材４０の内部から臨んでいる。
【００５４】
次いで、ボルト４を緩めることにより、押込部材２をレール係合部材３に対して持ち上げ、それぞれのレール部材４０の上に載せたソーラーパネル３０の端部を、図５で示すように押込部材２の前述した押圧部１０の下側に配置した後に、ボルト４の頭部４Ａをレンチ等の手動式又は電動式工具で回転させる作業を行う。これにより、レール係合部材３の雌ねじ孔３Ａに螺入していたボルト４の雄ねじ軸４Ｂはこの雌ねじ孔３Ａに螺進して、ボルト４の頭部４Ａが、ばね座金７と平座金６を介して押込部材２の押圧部１０に下方への加圧荷重を作用させるとともに、レール係合部材３は、ボルト４による引き上げ作用により押込部材２に対して上昇し、これにより、図６に示されているように、レール係合部材３のベース部２０の上面がレール部材４０のリップ部４３の下面に密着し、また、押込部材２は、ソーラーパネル３０をレール部材４０と共に挟着固定することになる。
【００５５】
これにより、ソーラーパネル３０は、本実施形態に係る取付装置１によって屋根５０に設置されたレール部材４０に取り付けられたことになり、そして、本実施形態に係る取付装置１の押込部材２は、レール部材４０に、取付装置１の配置箇所分の間隔を開けて配置される２個のソーラーパネル３０に跨る幅寸法を有しているため、１個の取付装置１により、互いに隣接している２個のソーラーパネル３０が同時に押込部材２とレール部材４０とにより挟着固定されることになる。
【００５６】
また、本実施形態によると、押込部材２の押圧部１０はソーラーパネル３０の上面に当接してソーラーパネル３０を下方に押圧し、この押圧力は、押圧部１０の上面に露出しているボルト４の頭部４Ａをレンチ等の工具で回転させることにより生ずるため、この頭部４Ａの高さ位置は、このボルト４の配置位置におけるソーラーパネル３０の上面の高さ位置よりも高い高さ位置となっている。このため、レンチ等で頭部４Ａを回転させる作業を行う際に、この工具がソーラーパネル３０の側面に当接することはなく、すなわち、工具がソーラーパネル３０の側面に当接することを気にすることなく、頭部４Ａを回転させる作業を行え、このため、この回転作業を迅速に行え、作業性を向上させることができる。
【００５７】
また、上述のようにレール係合部材３のベース部２０の上面がレール部材４０のリップ部４３の下面に密着したときには、図６に示されているように、アースプレート５の起立部５Ｄはソーラーパネル３０の下面に接触しており、ソーラーパネル３０に接触する起立部５Ｄの先端は先鋭化した端部５Ｅとなっているため、アースプレート５は、ソーラーパネル３０のフレームの表面を覆っている電気絶縁塗皮膜を突き破ってこのフレームに接続することになる。このため、それぞれ導電性の材料で形成されているアースプレート５及びレール係合部材３を介してソーラーパネル３０のフレームとレール部材４０とが電気的に接続され、さらに、レール部材４０は図示しない電気コード等を介して接地されているため、たとえソーラーパネル３０から漏電が生じても、この漏電を地面に逃がすことができる。
【００５８】
また、本実施形態では、押込部材２の内側嵌合部１１とレール係合部材３の外側嵌合部２２は、互いに相手に対して上下にスライド自在となっているため、前述したように、ボルト４を緩めることにより押込部材２をレール係合部材３に対して持ち上げるときや、ボルト４の頭部４Ａをレンチ等の工具で回転させることにより、レール係合部材３をボルト４による引き上げ作用によって押込部材２に対して上昇させるときに、押込部材２及びレール係合部材３を、内側嵌合部１１と外側嵌合部２２のガイド作用により、円滑に移動させることができる。
【００５９】
さらに、本実施形態によると、前述したようにレール係合部材３の立上部２１に設けた一対の凹部２３によりレール係合部材３をレール部材４０のリップ部４３に係合させることは、レール係合部材３の下部に設けられているベース部２０及びベース部２０の近辺だけをレール部材４０の内部に挿入した状態で行うことができるため、レール係合部材３をレール部材４０の内部の底部まで挿入しなければならないとした場合と異なり、レール係合部材３のベース部２０の上面をレール部材４０のリップ部４３の下面に密着させるための作業を、ボルト４の雄ねじ軸４Ｂをレール係合部材３の雌ねじ孔３Ａに対して螺進させる距離を短くして行うことができ、このため、作業時間の短縮を図ることができる。
【００６０】
図７及び図８は、別実施形態に係る取付装置１０１を示す。以下の説明では、前述の実施形態の取付装置１における部材と同じ部材又は同じ機能の部材には同一符号を用いることとする。
【００６１】
この実施形態に係る取付装置１０１は、押込部材２がレール係合部材３に対して下降することを仮停止させることができて、ボルト４の頭部４Ａが回転操作されて雄ねじ軸４Ｂをレール係合部材３雌ねじ孔３Ａに対して螺進させることにより、押込部材２をレール係合部材３に対して下降させることができる仮停止手段６０を備えている。
【００６２】
この仮停止手段６０は、押込部材２の内側嵌合部１１を形成しているそれぞれの下方延出部１３の薄肉部１３Ｂに、押込部材２の幅方向外側へ半円状に突出して形成された第１突部６１と、レール係合部材３の外側嵌合部２２を形成しているそれぞれの上方延出部２４の上端内側に、レール係合部材３の幅方向内側へ半円状に突出して形成された第２突部６２と、それぞれの上方延出部２４の内側面に、この第２突部６２の下面から内側嵌合部１１と外側嵌合部２２とのスライド方向の開口幅をもって形成され、レール係合部材３の幅方向外側へ窪んでいる窪み部６３とを含んで構成されたものとなっている。これらの第１及び第２突部６１，６２と窪み部６３は、押込部材２及びレール係合部材３の長さ方向の全長に渡って連続して形成されている。
【００６３】
この実施形態では、ボルト４の頭部４Ａをレンチ等の工具で回転させる作業を行う前には、第１突部６１が第２突部６２の上面に当接することにより、押込部材２はレール係合部材３に対してそれ以上下降することはない。すなわち、このときの押込部材２はレール係合部材３に対して仮停止しており、この仮停止時において、押込部材２におけるソーラーパネル３０の上面を押圧するための部分となっている押圧部１０についてのレール部材４０からの仮停止高さ位置Ｈ１は、レール部材４０の上に載せられるソーラーパネル３０の上面の高さ位置Ｈ２よりも高い位置となっている。
【００６４】
このように押込部材２をレール係合部材３に対して仮停止させた後に、レール部材４０の上に載せたソーラーパネル３０を取付装置１０１の側へ移動させ、押込部材２の押圧部１０の下側にソーラーパネル３０の端部を配置する。次いで、ボルト４の頭部４Ａをレンチ等の工具で回転させる作業を行い、これにより、ボルト４の雄ねじ軸４Ｂをレール係合部材３の雌ねじ孔３Ａに対して螺進させてレール係合部材３を引き上げるとともに、ボルト４の頭部４Ａから押込部材２の押圧部１０に下方への加圧荷重を作用させることにより、押込部材２に、この押込部材２がレール係合部材３に対して下降するための荷重を与える。これにより、押込部材２の二股形状となっている内側嵌合部１１に設けられている２個の第１突部６１は、レール係合部材３の二股形状の外側嵌合部２２を形成している一対の上方延出部２４を押し広げることになり、さらにボルト４の頭部４Ａをレンチ等の工具で回転させる作業を行うと、押込部材２はレール係合部材３に対して下降して、第１突部６１はレール係合部材３の窪み部６３に達する。
【００６５】
このように第１突部６１がレール係合部材３の窪み部６３に達したときの状態が、図８に示されており、このときには、押込部材２の押圧部１０はソーラーパネル３０の上面を下方へ押圧しているため、ソーラーパネル３０は押込部材２とレール部材４０とにより挟着固定されている。また、アースプレート５の起立部５Ｄの先端は、前述の実施形態と同じく、ソーラーパネル３０のフレームの表面に塗布されている電気絶縁塗膜を突き破ってこのフレームに接続している。
【００６６】
以上の説明から分かるように、この実施形態によると、仮停止手段６０により、押込部材２をレール係合部材３に対して仮停止させておくことができるとともに、この仮停止時において、押込部材２におけるソーラーパネル３０の上面を押圧する押圧部１０についてのレール部材４０からの仮停止高さ位置Ｈ１は、レール部材４０の上に載せられているソーラーパネル３０の上面よりも高い位置となっているため、この仮停止時において、押込部材２の押圧部１０の下側に、レール部材４０の上にソーラーパネル３０を配置することができる。そして、この後に、ボルト４の頭部４Ａを回転操作してボルト４の雄ねじ軸４Ｂをレール係合部材３の雌ねじ孔３Ａに対して螺進させることにより、押込部材２をレール係合部材３に対して下降させることができるため、押込部材２とレール部材４０とによってソーラーパネル３０を挟着固定するための作業を容易に行うことができる。
【００６７】
言い換えると、取付装置に上述の仮停止手段６０が設けられていない場合には、押込部材２はレール係合部材３に対して最下位置まで下降することになり、このため、ボルト４の頭部４Ａを回転操作してボルト４の雄ねじ軸４Ｂをレール係合部材３の雌ねじ孔３Ａに対して螺進させることで押込部材２とレール部材４０とによってソーラーパネル３０を挟着固定する作業を行う前に、押込部材２を手作業によりレール係合部材３に対して持ち上げなければならないが、この実施形態によると、このような押込部材２の持ち上げ作業を省略することができるため、押込部材２とレール部材４０とによってソーラーパネル３０を挟着固定する作業を容易かつ迅速に行うことができる。
【００６８】
また、仮停止手段６０を構成している第１突部６１は、押込部材２の下向きの二股形状となっている内側嵌合部１１の下方延出部１３に形成されているとともに、第２突部６２は、レール係合部材３の上向きの二股形状となっている外側嵌合部２２の上方延出部２４に形成されているため、ボルト４の頭部４Ａをレンチ等の工具で回転させて押込部材２に下方への加圧荷重を作用させた際に、下方延出部１３の内側への弾性変形と、上方延出部２４の外側への弾性変形とにより、第１突部６１は第２突部６２を容易に越えて窪み部６３に達することになり、このため、押込部材２とレール部材４０とによってソーラーパネル３０を挟着固定する作業を確実に行うことができる。
【００６９】
図９及び図１０は、長さ方向が屋根勾配方向となって屋根の上に設置されたレール部材４０の下り側の端部、言い換えると、レール部材４０における屋根の軒側の端部に配置される端部用の取付装置２０１について実施形態を示している。図１０は、図９のＳ１０−Ｓ１０線断面図である。
【００７０】
この端部用の取付装置２０１も、これまでの実施形態の取付装置１、１０１と同じく、上側の押込部材２と、ボルト４により押込部材２と連結されている下側のレール係合部材３とを有し、端部用の押込部材２には、端部用のレール係合部材３の外側嵌合部２２の内部に上下スライド自在に挿入されている内側嵌合部１１が設けられ、また、レール係合部材３のベース部２０から立ち上がっている立上部２１には、レール部材４０のリップ部４３を挿入係合させるための一対の凹部２３が形成されている。さらに、この端部用の取付装置２０１にも、図１０に示されているように、仮停止手段６０が設けられている。
【００７１】
そして、この実施形態における端部用のレール係合部材３のベース部２０の下部には、欠円形状のボルト挿通部７０が形成されており、レール部材４０の内部に挿入されているこのボルト挿入部７０には、図９に示すとおり、レール部材４０に横断架設されてナット７２でレール部材４０に固定されたボルト７１の雄ねじ軸７１Ｂが挿通されている。このため、この端部用のレール係合部材３は、ボルト７１によりレール部材４０と結合されている。
【００７２】
また、この実施形態でも、ボルト４の頭部４Ａがレンチ等の工具で回転操作されると、端部用の押込部材２の押圧部１０に下方への加圧荷重が作用して、ソーラーパネル３０が押込部材２とレール部材４０とにより挟着固定されるとともに、この挟着固定は、図１０に示されているとおり、この押込部材２の内側嵌合部１１に、ソーラーパネル３０における屋根勾配方向の下り側の端部の側面３０Ａを当接させて行うことができる。
【００７３】
すなわち、この実施形態では、押込部材２の内側嵌合部１１が、ソーラーパネル３０における屋根勾配方向の下り側の端部の側面３０Ａを当接させるための当接部になっている。したがって、この実施形態によると、レール部材４０と結合された端部用のレール係合部材３にボルト４を介して端部用の押込部材２が連結されていて、この端部用の押込部材２に、ソーラーパネル３０における屋根勾配方向の下り側の端部の側面３０Ａと当接する当接部が設けられているため、このソーラーパネル３０がレール部材４０に沿って屋根勾配方向の下側にスライド降下してしまうことを、端部用の押込部材２により防止することができる。
【００７４】
このため、この実施形態に係る端部用の取付装置２０１は、押込部材２により、ソーラーパネル３０をレール部材４０と共に挟着固定するための機能と、押込部材２により、ソーラーパネル３０がレール部材４０に沿って屋根勾配方向の下側にスライド降下してしまうことを防止するための機能とを備えたものとなっている。
【００７５】
また、この端部用の取付装置２０１の押込部材２には、図１０に示されているように、レール部材４０の屋根勾配方向の下り側の開口端面４０Ａを塞ぐことができるカバー部７３が形成されており、このため、端部用の押込部材２により、この開口端面４０Ａを塞ぐこともできる。したがって、この端部用の押込部材２は、レール部材４０の屋根勾配方向の下り側の開口端面４０Ａを塞ぐための部材を兼ねることになる。
【００７６】
なお、この実施形態におけるレール部材４０は、長さ方向が屋根勾配方向と直角をなす方向となって屋根に設置されていたが、長さ方向が屋根勾配方向となって屋根に設置されるレール部材の長さ方向の端部にも、この実施形態に係る端部用の取付装置２０１を配置することができる。
【００７７】
また、この実施形態の端部用の押込部材２と端部用のレール係合部材３には、互いに相手に対して上下スライド自在とするためのスライド部７４，７５が設けられ、押込部材２の側のスライド部７４はカバー部７３に形成されている。
【００７８】
また、図９及び図１０には前述したアースプレート５が示されていないが、このアースプレート５を、これまでの実施形態と同様に、端部用のレール係合部材３に配置してもよい。
【産業上の利用可能性】
【００７９】
本発明は、屋根に設置されるレール部材にソーラーパネル等の屋根上設置物を取り付けために利用することができる。
【符号の説明】
【００８０】
１，１０１，２０１  取付装置
２  押込部材
３  レール係合部材
３Ａ  雌ねじ孔
４  ボルト
４Ａ  頭部
４Ｂ  雄ねじ軸
５  アースプレート
１０  押圧部
１１  当接部でもある内側嵌合部
１３  下方延出部
２０  ベース部
２１  立上部
２２  外側嵌合部
２４  上方延出部
３０  屋根上設置物であるソーラーパネル
３０Ａ  ソーラーパネルにおける屋根勾配方向の下り側の端部の側面
４０  レール部材
４０Ａ  開口端面
４３  リップ部
５０  屋根
６０  仮停止手段
６１  第１突部
６２  第２突部
６３  窪み部
７３  カバー部
【図１】
0005687473.tif 000002
【図２】
0005687473.tif 000003
【図３】
0005687473.tif 000004
【図４】
0005687473.tif 000005
【図５】
0005687473.tif 000006
【図６】
0005687473.tif 000007
【図７】
0005687473.tif 000008
【図８】
0005687473.tif 000009
【図９】
0005687473.tif 000010
【図１０】
0005687473.tif 000011